(57)【要約】【課題】簡易な構成で、荷物を水平方向、垂直方向ともに十分に固定することが可能なパレットを提供する。【解決手段】パレット１において、荷物８はパレット本体２に載置され、ベルト６、７が荷物８の上部に掛け回され、ベルト６、７の第１の端部６ａ、７ａが荷物８の下方で固定され、ベルト６、７の第２の端部６ｂ、７ｂがそれぞれ係止部材４ａ、４ｂによって固定されている。また、係止部材４ａ、４ｂの近傍に備えられたストッパ５は、荷物８の端部を支持し、荷物８をベルト６、７が掛け回される方向に移動不能としている。【選択図】図１
2007106442.tif 000002
【特許請求の範囲】
【請求項１】
荷物を載置するパレット本体と、前記荷物を前記パレット本体上で、前記荷物の上部に掛け回して緊締するベルトとを備えたパレットにおいて、
前記ベルトの第１の端部を固定する第１の固定手段は、載置される荷物の下方に相当する位置に設けられたことを特徴とするパレット。
【請求項２】
荷物を載置するパレット本体と、前記荷物を前記パレット本体上で、前記荷物の上部に掛け回して緊締するベルトとを備えたパレットにおいて、
パレット本体表面の、載置される荷物の下方に相当する位置に第１の孔が形成され、
前記ベルトの第１の端部は、前記第１の孔を通した先で第１の固定手段によって固定されることを特徴とするパレット。
【請求項３】
前記ベルトの第２の端部を固定する第２の固定手段は、前記パレット本体表面に設けられ、前記第２の固定手段の近傍に、パレット本体に載置される荷物の端部を支持するストッパが設けられたことを特徴とする請求項１又は２に記載のパレット。
【請求項４】
前記ベルトの第２の端部を固定する第２の固定手段と、パレット本体に載置される荷物の端部を支持するストッパとが一体化され、前記パレット本体表面に設けられたことを特徴とする請求項１又は２に記載のパレット。
【請求項５】
前記ストッパは、固定位置が可変であることを特徴とする請求項３又は４に記載のパレット。
【請求項６】
前記ベルトの第２の端部を固定する第２の固定手段は、載置される荷物の下方に相当する位置に設けられたことを特徴とする請求項１又は２に記載のパレット。
【請求項７】
パレット本体表面の、載置される荷物の下方に相当する位置に第２の孔が形成され、
前記ベルトの第２の端部は、前記第２の孔を通した先で第２の固定手段によって固定されることを特徴とする請求項１又は２に記載のパレット。
【発明の詳細な説明】
【技術分野】
【０００１】
本発明は、荷物を載置して運搬、保管などを行うパレットに関する。
【背景技術】
【０００２】
例えば、工場などで各種の材料、部品、製品、半製品などの荷物を運搬したり保管したりする場合には、パレットを使用することが多い。このパレットに関する発明としては、特許文献１、特許文献２、特許文献３に記載のものが従来より知られている。
【０００３】
特許文献１に記載の発明は、物品固定用部材をパレット本体の収納部に収納して引き出し可能に設けるとともに、パレット本体の四隅に支柱を備え、支柱間には面板を張架し、もうひとつの物品固定用部材を面板に設けられた一対の挿通孔に通して備えたパレットに関するものである。
【０００４】
特許文献１に記載の発明によると、物品固定用部材を収納部から引き出して荷物の上部に掛け回すことにより、荷物を垂直方向に十分に固定できる。また、面板に設けられた一対の挿通孔に通されたもうひとつの物品固定用部材を荷物の横部に掛け回すことにより、荷物を水平方向に十分に固定できる。また、支柱を備えているので、荷物をパレット本体に載置したままパレットを積み重ねることができ、よって、運搬、保管などの効率を向上させることができる。
【０００５】
特許文献２に記載の発明は、パレット本体の対向する２辺上に、２つの折り畳み可能なパイプフレームが備えられ、各パイプフレームには面板が張架され、ベルトが、各面板に備えられた、間の距離がパレット本体に載置する荷物の幅又は奥行きよりも小さい一対の挿通孔に貫通支持されたパレットに関するものである。
【０００６】
特許文献２に記載の発明によると、一対の挿通孔間の距離はパレット本体に載置する荷物の幅又は奥行きよりも小さいので、この一対の挿通孔に貫通支持されたベルトを用いれば、荷物を水平方向に十分に固定できる。
【０００７】
特許文献３に記載の発明は、パレット本体の一側縁に、帯体を引き出し可能に巻き取り、かつ、引き出された帯体を係脱し得る帯体収納金具と、帯体の先端近傍に設けた掛け金具を掛止する鉤金具とを取り付けたパレットに関するものである。
【０００８】
特許文献３に記載の発明によると、荷物を垂直方向に十分に、容易に、かつ見映えよく固定できる。
【特許文献１】特開２００４−２０３４６３号公報
【特許文献２】特開２００４−３３１０８９号公報
【特許文献３】特開１９９２−２９４７４０号公報
【発明の開示】
【発明が解決しようとする課題】
【０００９】
特許文献１に記載のパレットは、荷物を水平方向、垂直方向ともに十分に固定することが可能であるが、物品固定用部材が多く必要となる。特許文献２に記載のパレットは、荷物を水平方向に十分に固定することは可能であるが、垂直方向にも十分に固定しようとすると、多くのベルトが必要である。
【００１０】
また、特許文献１、特許文献２に記載のパレットは、荷物を水平方向に固定するために、支柱やパイプフレームに一対の挿通孔を備えた面板を張架する必要があり、パレットの構成が複雑となる。特許文献３に記載のパレットは、荷物を垂直方向に十分に固定することは可能であるが、水平方向には十分に固定することができない。
【００１１】
以上の問題点を鑑み、本発明においては、簡易な構成で、荷物を水平方向、垂直方向ともに十分に固定することが可能なパレット提供することを目的とする。
【課題を解決するための手段】
【００１２】
本発明においては、パレットは、荷物を載置するパレット本体と、前記荷物を前記パレット本体上で、前記荷物の上部に掛け回して緊締するベルトとを備えたパレットにおいて、前記ベルトの第１の端部を固定する第１の固定手段は、載置される荷物の下方に相当する位置に設けられたことを特徴とする。
【００１３】
これによると、ベルトの第１の端部側の部分がパレット本体に載置される荷物に巻き付くような形で、荷物が緊締されることとなる。
【００１４】
本発明においては、パレットは、荷物を載置するパレット本体と、前記荷物を前記パレット本体上で、前記荷物の上部に掛け回して緊締するベルトとを備えたパレットにおいて、パレット本体表面の、載置される荷物の下方に相当する位置に第１の孔が形成され、前記ベルトの第１の端部は、前記第１の孔を通した先で第１の固定手段によって固定されることを特徴とする。
【００１５】
これによると、ベルトを第１の端部から第１の孔に通し、その先で第１の固定手段を用いてベルトの第１の端部を固定するので、第１の固定手段として使用可能な部材のバリエーションが増える。したがって、様々な種類の第１の固定手段によって、ベルトの第１の端部側の部分がパレット本体に載置される荷物に巻き付くような形で、荷物が緊締されることとなる。
【００１６】
本発明においては、上記構成のパレットにおいて、前記ベルトの第２の端部を固定する第２の固定手段は、前記パレット本体表面に設けられ、前記第２の固定手段の近傍に、パレット本体に載置される荷物の端部を支持するストッパが設けられたことを特徴とする。
【００１７】
これによると、ストッパがパレット本体に載置される荷物の端部を支持することで、荷物をベルトが掛け回される方向に移動不能とし、ベルトの第１の端部側の部分が荷物に巻き付く作用と合わせて、荷物が水平方向により一層緊締されることとなる。
【００１８】
本発明においては、上記構成のパレットにおいて、前記ベルトの第２の端部を固定する第２の固定手段と、パレット本体に載置される荷物の端部を支持するストッパとが一体化され、前記パレット本体表面に設けられたことを特徴とする。
【００１９】
これによると、第２の固定手段と、パレット本体に載置される荷物の端部を支持するストッパとが一体化されているので、少ない部材で、ベルトの第１の端部側の部分が荷物に巻き付く作用と合わせて、荷物が水平方向により一層緊締されることとなる。
【００２０】
本発明においては、上記構成のパレットにおいて、前記ストッパは、固定位置が可変であることを特徴とする。
【００２１】
これによると、ストッパの固定位置が可変であるので、パレット本体に載置される荷物の大きさに拘わらず、ストッパが荷物の端部を支持することで、荷物をベルトが掛け回される方向に移動不能とし、ベルトの第１の端部側の部分が荷物に巻き付く作用と合わせて、荷物が水平方向により一層緊締されることとなる。
【００２２】
本発明においては、上記構成のパレットにおいて、前記ベルトの第２の端部を固定する第２の固定手段は、載置される荷物の下方に相当する位置に設けられたことを特徴とする。
【００２３】
これによると、ベルトの第２の端部側の部分が、パレット本体に載置される荷物に巻き付くような形で、荷物が緊締されることとなり、ベルトの第１の端部側の部分が荷物に巻き付く作用と合わせて、荷物がより一層緊締されることとなる。
【００２４】
本発明においては、上記構成のパレットにおいて、パレット本体表面の、載置される荷物の下方に相当する位置に第２の孔が形成され、前記ベルトの第２の端部は、前記第２の孔を通した先で第２の固定手段によって固定されることを特徴とする。
【００２５】
これによると、ベルトを第２の端部から第２の孔に通し、その先で第２の固定手段を用いてベルトの第２の端部を固定するので、第２の固定手段として使用可能な部材のバリエーションが増える。よって、様々な種類の第２の固定手段によって、ベルトの第２の端部側の部分がパレット本体に載置される荷物に巻き付くような形で、荷物が緊締されることとなり、ベルトの第１の端部側の部分が荷物に巻き付く作用と合わせて、荷物がより一層緊締されることとなる。
【発明の効果】
【００２６】
本発明によると、ベルトの第１の端部側の部分がパレット本体に載置される荷物に巻き付くような形で、荷物が緊締されることとなるので、荷物の上部に掛け回したベルトによって、荷物を垂直方向のみならず、水平方向にも固定することができ、荷物の運搬、保管などを行うときに、振動や衝撃による荷物の荷崩れ、ずれ落ちなどを防ぐことができる。
【００２７】
本発明によると、第１の固定手段のバリエーションが増え、できるだけコストダウンを図れるもの、できるだけ丈夫なものなどの基準で第１の固定手段を選択することができ、ベルトの第１の端部側の部分がパレット本体に載置される荷物に巻き付くような形で、荷物が緊締されることとなる。したがって、目的に応じた第１の固定手段を用いて、パレット本体に載置される荷物の上部に掛け回したベルトによって、荷物を垂直方向のみならず、水平方向にも固定することができ、荷物の運搬、保管などを行うときに、振動や衝撃による荷物の荷崩れ、ずれ落ちなどを防ぐことができる。
【００２８】
本発明によると、ストッパがパレット本体に載置される荷物を、ベルトが掛け回される方向に移動不能とするので、荷物が水平方向に緊締される。したがって、ベルトの第１の端部側の部分が荷物に巻き付く作用と合わせて、荷物の上部に掛け回したベルトによって、荷物を垂直方向のみならず、水平方向にも十分に固定することができ、荷物の運搬、保管などを行うときに、振動や衝撃による荷物の荷崩れ、ずれ落ちなどを防ぐことができる。
【００２９】
本発明によると、第２の固定手段と、パレット本体に載置される荷物をベルトが掛け回される方向に移動不能とするストッパとが一体化されているので、少ない部材で、荷物が水平方向に緊締される。したがって、ベルトの第１の端部側の部分が荷物に巻き付く作用と合わせて、低コストで、荷物の上部に掛け回したベルトによって、荷物を垂直方向のみならず、水平方向にも十分に固定することができ、荷物の運搬、保管などを行うときに、振動や衝撃による荷物の荷崩れ、ずれ落ちなどを防ぐことができる。
【００３０】
本発明によると、パレット本体に載置される荷物をベルトが掛け回される方向に移動不能とするストッパの固定位置が可変であるので、荷物の大きさに拘わらず、荷物が水平方向に緊締されることとなる。したがって、ベルトの第１の端部側の部分が荷物に巻き付く作用と合わせて、荷物の大きさに拘わらず、荷物の上部に掛け回したベルトによって、荷物を垂直方向のみならず、水平方向にも十分に固定することができ、荷物の運搬、保管などを行うときに、振動や衝撃による荷物の荷崩れ、ずれ落ちなどを防ぐことができる。
【００３１】
本発明によると、ベルトの第２の端部側の部分が、パレット本体に載置される荷物に巻き付くような形で、荷物が緊締されることとなる。したがって、ベルトの第１の端部側の部分が荷物に巻き付く作用と合わせて、荷物の上部に掛け回したベルトによって、荷物を垂直方向のみならず、水平方向にも十分に固定することができ、荷物の運搬、保管などを行うときに、振動や衝撃による荷物の荷崩れ、ずれ落ちなどを防ぐことができる。
【００３２】
本発明によると、第２の固定手段のバリエーションが増え、できるだけコストダウンを図れるもの、できるだけ丈夫なものなどの基準で第２の固定手段を選択することができ、ベルトの第２の端部側の部分が、パレット本体に載置される荷物に巻き付くような形で、荷物が緊締されることとなる。したがって、目的に応じた第２の固定手段を用いて、ベルトの第１の端部側の部分が荷物に巻き付く作用と合わせて、荷物の上部に掛け回したベルトによって、荷物を垂直方向のみならず、水平方向にも十分に固定することができ、荷物の運搬、保管などを行うときに、振動や衝撃による荷物の荷崩れ、ずれ落ちなどを防ぐことができる。
【発明を実施するための最良の形態】
【００３３】
本発明の実施形態について、図面を用いて説明すれば以下の通りである。
【００３４】
図１は、本発明の第１の実施形態に係るパレット１の概略の構成を示す斜視図である。パレット１は、パレット本体２を備え、パレット本体２の四隅には、パレット１を積み重ねるための支柱３ａ、３ｂ、３ｃ、３ｄを備えている。また、パレット１は、パレット本体表面２０に、係止部材４ａ、４ｂ（第２の固定手段）と、ストッパ５とを備えている。さらに、パレット１は、不図示の長さ調節手段を備えたベルト６、７を備えている。
【００３５】
上記構成のパレット１において、荷物８はパレット本体２に載置され、ベルト６、７が荷物８の上部に掛け回され、ベルト６、７の第１の端部６ａ、７ａが荷物８の下方で固定され、ベルト６、７の第２の端部６ｂ、７ｂがそれぞれ係止部材４ａ、４ｂによって固定されている。また、係止部材４ａ、４ｂの近傍に備えられたストッパ５は、荷物８の端部を支持し、荷物８をベルト６、７が掛け回される方向に移動不能としている。なお、ベルト６、７の第１の端部６ａ、７ａの荷物８の下方における固定方法の詳細については後述する。
【００３６】
上記のように荷物８が固定されると、ベルト６、７の第１の端部６ａ、７ａ側の部分は、荷物８に巻き付くような形で荷物８を緊締することとなる。また、ストッパ５がパレット本体表面２０の、荷物８についてベルト６、７の第１の端部６ａ、７ａと反対側の位置において、荷物８の端部を支持し、荷物８をベルト６、７が掛け回される方向に移動不能としている。したがって、荷物８を垂直方向のみならず、水平方向にも十分固定することができる。
【００３７】
上記構成のパレット１は、荷物８を垂直方向のみならず、水平方向にも十分固定することができるので、上記構成のパレット１を用いて荷物８の運搬、保管などを行えば、振動や衝撃による荷物８の荷崩れ、ずれ落ちなどを防ぐことができる。また、ベルト６、７は長さが調節可能であることから、荷物８の大きさに自由度を持たせることができる。
【００３８】
本実施形態においては、ストッパ５の固定位置を変更することも容易である。したがって、例えば、荷物８の幅又は奥行きが非常に小さい場合でも、ストッパ５の固定位置を移動することにより、ストッパ５が荷物８の端部を支持し、荷物８をベルト６、７が掛け回される方向に移動不能とすることができる。したがって、荷物８の大きさに拘わらず、ベルト６、７の第１の端部６ａ、７ａ側の部分が荷物８に巻き付く作用と合わせて、荷物８を垂直方向のみならず、水平方向にも十分固定することができる。
【００３９】
また、パレット本体２には孔２１ａ、２１ｂ、２２ａ、２２ｂが形成されている。孔２２ａ、２２ｂは、フォークリフトのフォークなどを挿入するためのものである。
【００４０】
図２は、本実施形態におけるパレット本体表面２０の詳細を示す平面図である。パレット本体表面２０には、ベルト６、７を通すための孔２３ａ、２３ｂが開けられている。
【００４１】
図３は、本実施形態における孔２１ａと、孔２３ａ、２３ｂとの関係を示す断面図である。図３に示すように、孔２１ａと、孔２３ａ、２３ｂとは繋がっている。つまり、ベルト６、７の第１の端部６ａ、７ａを、それぞれ孔２３ａ、２３ｂに通すと、ベルト６、７の第１の端部６ａ、７ａは、孔２１ａに達する。
【００４２】
次に、孔２３ａ、２３ｂに通されたベルト６、７の第１の端部６ａ、７ａの固定方法について説明する。図４は、本実施形態におけるベルト６、７の第１の端部６ａ、７ａを固定するための第１の固定手段３０の構成を示す説明図である。第１の固定手段３０は、２つの矩形の固定部材４０、５０によって構成されている。固定部材４０、５０は金属製であり、それぞれ孔４１ａ、４１ｂ、孔５１ａ、５１ｂが形成されている。そして、固定部材４０の孔４１ａと固定部材５０の孔５１ｂとを重ねるように組み合わせると、第１の固定手段３０が得られる。なお、ここで、第１の固定手段３０は、孔２３ａ、２３ｂより十分大きく、孔２３ａ、２３ｂを通り抜けることができないようにする。
【００４３】
図５は、本実施形態におけるベルト６、７の第１の端部６ａ、７ａの固定方法を示す断面図である。具体的には、ベルト６、７の第１の端部６ａ、７ａを、上から孔５１ａに通し、下から孔５１ｂ、４１ａに通し、上から第１の固定手段３０の端部を巻き込み、下から孔４１ｂに通し、上から孔４１ａ、５１ｂに通し、下から孔５１ａに通す。
【００４４】
上記構成によると、孔２３ａ、２３ｂより十分大きい第１の固定手段３０が、孔２３ａ、２３ｂのすぐ下で係止されるので、ベルト６、７の第１の端部６ａ、７ａが孔２３ａ、２３ｂから抜けることがなく、しっかりと保持される。よって、本実施形態においては、上記の簡易な構成により、ベルト６、７の第１の端部６ａ、７ａ側の部分が荷物８に巻き付くような形で、荷物８を緊締することができる。したがって、簡易な構成で、ストッパ５が荷物８の端部を支持し、荷物８をベルト６、７が掛け回される方向に移動不能とする作用と合わせて、荷物８を垂直方向のみならず、水平方向にも十分固定することができる。
【００４５】
図６は、本発明の第２の実施形態に係るパレット１の概略の構成を示す斜視図である。なお、第１の実施形態に係るパレット１と共通する部分は同じ符号を付し、説明を省略する。図６においては、係止部材６０（第２の固定手段）が、荷物８の端部を支持し、荷物８をベルト６、７が掛け回される方向に移動不能とするストッパとしても機能している。
【００４６】
上記構成によっても、係止部材６０がパレット本体表面２０の、荷物８についてベルト６、７の第１の端部６ａ、７ａと反対側の位置において、荷物８の端部を支持し、荷物８をベルト６、７が掛け回される方向に移動不能とするので、ベルト６、７の第１の端部６ａ、７ａ側の部分が荷物８に巻き付く作用と合わせて、荷物８を垂直方向のみならず、水平方向にも十分固定することができる。また、係止部材６０がストッパとしても機能するので、ストッパを別に設ける必要が無く、コストが抑えられる。
【００４７】
図７は、本発明の第３の実施形態に係るパレット１の概略の構成を示す斜視図である。なお、第１の実施形態に係るパレット１と共通する部分は同じ符号を付し、説明を省略する。図７においては、ベルト６、７の第２の端部６ｂ、７ｂが荷物８の下方で固定されている。図８は本実施形態におけるパレット本体表面２０の詳細を示す平面図であり、孔２３ａ、２３ｂと荷物８について反対側に、孔７０ａ、７０ｂが形成されている。ベルト６の第２の端部６ｂ、ベルト７の第２の端部７ｂの固定方法は、ベルト６、７の第１の端部６ａ、７ａの固定方法と同様である。
【００４８】
上記構成によると、ベルト６、７の第２の端部６ｂ、７ｂ側の部分も、荷物８に巻き付くような形で荷物８を緊締することとなる。よって、ベルト６、７の第１の端部６ａ、７ａ側の部分が荷物８に巻き付く作用と合わせて、荷物８を垂直方向のみならず、水平方向にも十分固定することができる。また、係止部材やストッパを設ける必要が無く、コストが抑えられる。
【００４９】
なお、上記のように本発明の実施形態を示したが、この他、発明の趣旨を逸脱しない範囲で、種々の変更が可能である。例えば、本発明の第１、第２、第３実施形態においては、第１の固定手段３０は、固定部材４０と固定部材５０とを組み合わせて構成したが、図９に示すような第１の固定手段８０を１つ用いることも可能である。
【産業上の利用可能性】
【００５０】
本発明は、荷物を載置して運搬、保管などを行うパレットとして有効である。
【図面の簡単な説明】
【００５１】
【図１】本発明の第１の実施形態に係るパレット１の概略の構成を示す斜視図である。
【図２】本発明の第１の実施形態に係るパレット本体表面２０の詳細を示す平面図である。
【図３】本発明の第１の実施形態に係る孔２１ａと、孔２３ａ、２３ｂとの関係を示す断面図である。
【図４】本発明の第１の実施形態に係る第１の固定手段３０の構成を示す説明図である。
【図５】本発明の第１の実施形態に係るベルト６、７の第１の端部６ａ、７ａの固定方法を示す断面図である。
【図６】本発明の第２の実施形態に係るパレット１の概略の構成を示す斜視図である。
【図７】本発明の第３の実施形態に係るパレット１の概略の構成を示す斜視図である。
【図８】本発明の第３の実施形態に係るパレット本体表面２０の詳細を示す平面図である。
【図９】第１の固定手段の他の例を示す説明図である。
【符号の説明】
【００５２】
１    パレット
２    パレット本体
４ａ、４ｂ、６０    係止部材（第２の固定手段）
５    ストッパ
６、７    ベルト
６ａ、７ａ    第１の端部
６ｂ、７ｂ    第２の端部
８    荷物
２０    パレット本体表面
２３ａ、２３ｂ    第１の孔
３０、８０    第１の固定手段
７０ａ、７０ｂ    第２の孔
【図１】
2007106442.tif 000003
【図２】
2007106442.tif 000004
【図３】
2007106442.tif 000005
【図４】
2007106442.tif 000006
【図５】
2007106442.tif 000007
【図６】
2007106442.tif 000008
【図７】
2007106442.tif 000009
【図８】
2007106442.tif 000010
【図９】
2007106442.tif 000011